(57)【特許請求の範囲】
【請求項１】
複数のスロットにカードを挿入して構成した伝送装置に於いて、
それぞれ異なるスロットＩＤを設定した現用カード挿入スロットと予備カード挿入スロットとを含むシェルフと、
前記現用カード挿入スロット及び予備カード挿入スロットに挿入して識別する前記スロットＩＤと、非冗長／冗長設定信号と、現用／予備情報とを入力する制御論理回路及び該制御論理回路の出力信号によって現用回線側と予備回線側とを切替える切替リレーとを含むカードと
を備えたことを特徴とする伝送装置。
【請求項２】
前記非冗長／冗長設定信号を冗長構成の設定とした時に前記予備回線側を未使用とする空き回線とし、非冗長構成の設定とした時に前記予備回線側の回線を現用回線側の回線としたことを特徴とする請求項１記載の伝送装置。
【請求項３】
前記制御論理回路は、非冗長／冗長設定信号を非冗長構成の設定とした時、前記現用カード挿入スロットに挿入したカードは前記スロットＩＤを基に前記現用回線側に接続し、前記予備カード挿入スロットに挿入したカードは前記スロットＩＤを基に前記予備回線側に接続するように前記切替リレーを制御する構成を備えたことを特徴とする請求項１記載の伝送装置。
【発明の詳細な説明】
【０００１】
【発明の属する技術分野】
本発明は、冗長構成と非冗長構成とが混在した伝送装置に関する。
各種の伝送装置に於いて、１回線対応に現用カードと予備カードとを設け、現用カードの障害により予備カードに切替える冗長構成と、１回線対応に１個のカードを設けた非冗長構成とがあり、信頼性を要求される場合に冗長構成を適用し、信頼性が余り要求されない場合に非冗長構成を適用するになる。従って、信頼性に対応して冗長構成と非冗長構成とを混在して設けることにより、経済化を図ることができる。
【０００２】
【従来の技術】
図６は従来例の現用カード動作中の説明図であり、シェルフ５１の複数のスロットに、現用カード５２−１と予備カード５２−２とを実装し、現用カード５２−１の切替リレー５３−１を点線で示すように回線５５側に切替え、予備カード５２−２の切替リレー５３−２を点線で示すように空き回線側に切替え、切替スイッチ５４を点線で示すように現用カード５２−１側に切替える。それによって、現用カード５２−１に於いて回線５５を介して入力された信号の処理を行うことになる。この場合の現用，予備のカード５２−１，５２−２は、プリント基板上に電子部品を搭載した構成を有し、ボード，ユニット等と称される場合もある。
【０００３】
このようなシェルフ５１により構成された伝送装置に於いて、現用カード５２−１が障害となると、図７に示すように、現用カード５２−１の切替リレー５３−１を点線で示すように空き回線側に切替え、予備カード５２−２の切替リレー５３−２を点線で示すように回線５５側に切替え、且つ切替スイッチ５４を点線で示すように予備カード５２−２側に切替える。それによって、予備カード５２−２に於いて回線５５を介して入力された信号の処理を行うことになる。
【０００４】
図８は従来例の冗長構成及び非冗長構成の説明図であり、Ｗは現用カード、Ｐは予備カード、Ｃは制御カードを示し、上段は、現用カードＷと予備カードＰとをそれぞれスロットに実装することにより冗長構成とし、下段は、現用カードＷを主として実装し、殆どを非冗長構成とした場合を示す。
【０００５】
即ち、冗長構成の場合、現用カードＷと予備カードＰとが対としてシェルフのスロットにそれぞれ実装され、非冗長構成の場合、現用カードＷと予備カードＰとの何れ一方のみがシェルフのスロットに実装される。
【０００６】
【発明が解決しようとする課題】
冗長構成の場合、シェルフのスロットを現用カードと予備カードとの実装により、総て有効に利用することができるが、このようなシェルフを用いて非冗長構成を実現すると、図８の下段のように、予備カードの実装スロットが空きとなる。従って、非冗長構成によるカード数が多くなるに従って、空きスロット数が多くなり、使用効率の低い構成となる。
【０００７】
又非冗長構成により生じた空きスロットを有効に利用する為には、実装したカードに常時回線を接続するように、切替リレー５３−１，５３−２を設定することになり、このような設定は、カード対応に手動で行う必要がある。その場合、現用カードを挿入するスロットか否かを判定して設定することになり、実際上煩雑な操作が必要であり、誤設定が生じる可能性がある。
本発明は、現用カード挿入スロットか予備カード挿入スロットかを自動的に判別し、且つ冗長構成か非冗長構成かに対応して切替リレーを制御し、冗長構成と非冗長構成とが混在している場合でも、誤りなく設定を可能とすることを目的とする。
【０００８】
【課題を解決するための手段】
本発明の伝送装置は、（１）複数のスロットにカードを挿入して構成した伝送装置であって、それぞれ異なるスロットＩＤを設定した現用カード挿入スロットと予備カード挿入スロットとを含むシェルフと、現用カード挿入スロット及び予備カード挿入スロットに挿入して識別するスロットＩＤと、非冗長／冗長設定信号と、現用／予備情報とを入力する制御論理回路及びこの制御論理回路の出力信号によって現用回線側と予備回線側とを切替える切替リレーとを含むカードとを備えている。
【０００９】
又（２）非冗長／冗長設定信号を冗長構成の設定とした時に、予備回線側を空き回線とし、非冗長構成の設定した時に、予備回線側を現用回線に対応する回線とし、予備カード挿入スロットに挿入したカードも現用として動作させるものである。
【００１０】
又（３）制御論理回路は、非冗長／冗長設定信号を非冗長構成の設定とした時、現用カード挿入スロットに挿入したカードは、スロットＩＤを基に現用回線側に接続し、予備カード挿入スロットに挿入したカードは、スロットＩＤを基に予備回線側に接続するように切替リレーを制御する構成を備えている。
【００１１】
【発明の実施の形態】
図１は本発明の実施の形態の要部説明図であり、１はシェルフ、２−１，２−２はカード、３−１，３−２は切替リレー、４は切替スイッチ、５，７は入力回線（シェルフ１の入側の回線で、現用回線又は予備回線）、６，８は出力回線（シェルフ１の出側の回線で、現用回線又は予備回線）、ＳＧはスロットＩＤとしてのアース、ＯＰはスロットＩＤとしてのオープンを示し、スロットに挿入したカードが、このスロットＩＤを識別するものであり、接続ピンをアースするか否かの設定により、スロットＩＤとすることができる。なお、このスロットＩＤは複数ビット構成とすることも可能である。
【００１２】
又シェルフ１は、図示を省略しているが、複数のスロットを有し、例えば、図８に示すように、現用カード挿入スロットと予備カード挿入スロットとを組として備えている。そして、現用カード挿入スロットは、アースＳＧをスロットＩＤとし、予備カード挿入スロットは、オープンＯＰをスロットＩＤとしている場合を示す。
【００１３】
又非冗長／冗長設定信号と、スロットＩＤと、現用／予備情報とを、カード２−１，２−２の図示を省略した制御回路に入力する。非冗長構成の設定信号の場合、現用カード挿入スロットに挿入したカード２−１は、スロットＩＤ＝ＳＧと、非冗長構成の設定信号とにより、切替リレー３−１を点線で示すよう入力回線５側に切替え、又予備カード挿入スロットに挿入したカード２−２は、スロットＩＤ＝ＯＰと、非冗長構成の設定信号とにより、切替リレー３−２を点線で示すように入力回線７側に切替える。又切替スイッチ４は、出力回線６とカード２−１との間を接続し、又出力回線８とカード２−２との間を接続する。
【００１４】
従って、非冗長構成の場合、現用カード挿入スロットに挿入したカード２−１により入力回線（現用回線）５からの信号を処理して、出力回線６へ送出し、予備カード挿入スロットに挿入したカード２−２により入力回線７からの信号を処理して、出力回線８へ送出するもので、入力回線７も入力回線５と同様な現用回線とし、カード挿入スロットを空きスロットとすることなく、入力回線５と出力回線６との間、及び入力回線７と出力回線８との間の信号をカード２−１，２−２によって処理することができる。
【００１５】
又冗長構成の場合、入力回線７と出力回線８との接続を省略して、冗長構成の設定信号と、スロットＩＤ＝ＳＧと、現用，予備の切替制御信号とにより、カード２−１の切替リレー３−１は、点線で示すように切替えられて、カード２−１は現用カードとなり、入力回線５と出力回線６との間の信号がカード２−１によって処理される。この時、カード２−２の切替リレー３−２は、点線で示すように切替えられる。この場合、入力回線７及び出力回線８は、未接続状態、即ち、空き回線に相当するもので、カード２−２は予備カードとなる。
【００１６】
又切替スイッチ４は、出力回線６，８とカード２−１，２−２との間の切替接続を行うもので、冗長構成の場合は、カード２−１，２−２と出力回線６との間の切替接続を行う構成となる。又現用／予備情報が予備側に切替えることを示す場合、図２に示すように、切替リレー３−１，３−２は、点線で示すように切替えられる。従って、カード２−１が予備カード、カード２−２が現用カードとなる。そして、切替スイッチ４はカード２−２と出力回線６との間を接続する。即ち、冗長構成の場合、現用カードと予備カードとの切替えを可能とする構成となる。
【００１７】
図３は本発明の実施の形態の説明図であり、図１と同一符号は同一部分を示し、９は切替制御回路、１０−１，１０−２は制御論理回路、１１は多重部を示す。現用カード挿入スロットに挿入したカード２−１の制御論理回路１０−１及び予備カード挿入スロットに挿入したカード２−２の制御論理回路１０−２に、スロットＩＤと、切替制御回路９からの冗長構成又は非冗長構成の設定信号と、現用，予備の切替制御信号とが入力される。
【００１８】
例えば、冗長構成の場合、入力回線７及び出力回線８は省略されており、現用カード挿入スロットに挿入されたカード２−１は、スロットＩＤ＝ＳＧと、切替制御回路９からの現用系を示す切替制御信号及び冗長構成の設定信号とにより、制御論理回路１０−１によって切替リレー３−１は、点線で示すように切替えられており、切替スイッチ４は、出力回線６とカード２−１との間を接続するように切替えられている。
【００１９】
又カード２−２は、スロットＩＤ＝ＯＰと、切替制御回路９からの切替制御信号及び冗長構成の設定信号とにより、制御論理回路１０−２によって切替リレー３−２は、点線で示すように切替えられており、切替スイッチ４は、出力回線８とカード２−２との間を接続するか、或いは、開放状態とする。従って、カード２−１が現用カードとして動作し、カード２−２は予備カードとして待機状態となる。そして、現用，予備の切替制御信号により予備側に切替えることにより、カード２−１の切替リレー３−１は開放端側に切替接続し、カード２−２の切替リレー３−２は入力回線５側に切替接続し、切替スイッチ４は、出力回線６とカード２−２との間を切替接続する。即ち、現用，予備の切替えが行われる。
【００２０】
図４は本発明の実施の形態の制御論理回路の説明図であり、３は切替リレー、１０は制御論理回路、１２はドライバー、２１はオア回路、２２〜２４はアンド回路、２５〜２７はインバータを示す。制御論理回路１０は、オア回路２１と、アンド回路２２〜２４と、インバータ２５〜２７とを含み、非冗長／冗長設定信号がアンド回路２４とインバータ２６とに入力され、Ｗ／Ｐ（現用／予備）情報がアンド回路２２とインバータ２５とに入力され、スロットＩＤがアンド回路２３とインバータ２７とに入力される。
【００２１】
又Ｗ／Ｐ情報は、現用Ｗ（ＷＯＲＫ）と予備Ｐ（ＰＲＯＴＥＣＴ）との切替制御信号を示し、現用Ｗの場合“１”、予備Ｐの場合“０”とすることができる。又スロットＩＤは、前述のように、現用カード挿入スロットはＳＧ（“０”）、予備カード挿入スロットはＯＰ（“１”）とすることができる。又非冗長／冗長設定信号は、非冗長構成の場合“１”、冗長構成の場合“０”とすることができる。又切替リレー３は、ドライバー１２によって切替制御される。
【００２２】
例えば、冗長構成の場合、Ｗ／Ｐ情報が現用を示すと、現用カード挿入スロットに挿入したカードの切替リレー３は、現用回線側に切替えられて、このカードは現用として動作する。又予備カード挿入スロットに挿入したカードの切替リレー３は、予備回線側に切替えられる。冗長構成の場合、予備回線側は空き回線となるから、予備カード挿入スロットに挿入したカードは、予備状態となる。
【００２３】
又この状態で、Ｗ／Ｐ情報が予備を示すと、現用カード挿入スロットに挿入したカードの切替リレー３は、予備回線側に切替えられ、この予備回線は空き回線であるから、このカードは現用から予備に切替えられることになる。又予備カード挿入スロットに挿入したカードの切替リレー３は、現用回線側に切替えられるから、このカードは、予備から現用に切替えられることになる。なお、制御論理回路１０は、他の論理構成とすることも可能であり、又プロセッサによる演算処理によってこの機能を実現することも可能である。
【００２４】
図５は、本発明の実施の形態の制御論理回路の論理表を示し、非冗長／冗長設定信号を、非冗長構成の場合“１”、冗長構成の場合“０”とし、Ｗ／Ｐ情報を、現用を指定する場合“１”、予備を指定する場合“０”とする。又スロットＩＤを、現用カード挿入スロットに於いてはＳＧ＝“０”、予備カード挿入スロットに於いてはＯＰ＝“１”とする。又切替リレーのＯＮは現用回線側に切替えたことを示し、又ＯＦＦは予備回線側に切替えたことを示す。
【００２５】
例えば、非冗長／冗長設定信号を非冗長構成（“１”）に設定し、Ｗ／Ｐ情報を現用Ｗ指定（“１”）とし、現用カード挿入スロットに挿入したカードのスロットＩＤをＳＧ（“０”）とすると、図４に於ける制御論理回路１０のアンド回路２２，２４の出力信号がそれぞれ“１”となり、オア回路２１を介してドライバー１２に“１”の信号が入力され、切替リレー３をＯＮ、即ち、現用回線側に切替える。
【００２６】
この場合、Ｗ／Ｐ情報を予備Ｐ指定（“０”）としても、非冗長／冗長設定信号（“１”）により、現用カード挿入スロットに挿入したカードは、切替リレー３をＯＮとして、現用回線側に切替える。従って、現用カード挿入スロットに挿入したカードは、非冗長構成（“１”）の場合、Ｗ／Ｐ情報に関係なく、現用回線側に接続されることになる。
【００２７】
又予備カード挿入スロットに挿入したカードは、スロットＩＤ＝ＯＰ＝“１”であり、現用Ｗ指定（“１”）の場合も予備Ｐ指定（“０”）の場合も、切替リレー３はＯＦＦの状態で、現用回線（例えば、図２又は図３に於ける入力回線５）に接続され、予備カード挿入スロットに挿入したカードは、予備回線（例えば、図２又は図３に於ける入力回線７）に接続されることになり、非冗長構成として空きスロットを生じさせることなく、図１又は図２の入力回線５，６を共に現用回線として処理することができる。
【００２８】
又予備Ｐ指定（“０”）とすると、アンド回路２４の出力信号が“１”となるから、切替リレー３は現用回線側に切替えられる。この場合、非冗長構成とするから、現用カード挿入スロット側と予備カード挿入スロット側とのカードにそれぞれ回線が接続されることになり、何れも現用回線とすることにより、現用カード挿入スロットに挿入したカードと、予備カード挿入スロットに挿入したカードとにより、２回線の処理が可能となる。
【００２９】
又非冗長／冗長設定信号を冗長構成（“０”）とすると、現用カード挿入スロットに挿入したカードは、スロットＩＤ＝ＳＧ＝“０”で、Ｗ／Ｐ情報を現用Ｗ指定（“１”）とすると、切替リレー３がＯＮとなって、現用回線に接続される。又Ｗ／Ｐ情報を予備指定（“０”）とすると、切替リレー３はＯＦＦとなって、予備回線側に切替えられる。この場合、予備回線は空き回線であるから、カードは予備状態となる。
【００３０】
又予備カード挿入スロットに挿入したカードは、スロットＩＤ＝ＯＰ＝“１”で、Ｗ／Ｐ情報を現用Ｗ指定（“１”）とすると、切替リレー３はＯＦＦで、予備回線側に切替えられた状態となる。この場合、現用カード挿入スロットに挿入したカードが現用カードとして動作する。又Ｗ／Ｐ情報を予備Ｐ指定（“０”）とすると、切替リレー３はＯＮで、現用回線に接続され、予備カード挿入スロットに挿入したカードが現用として動作し、現用カード挿入スロットに挿入したカードが予備に切替えられる。
【００３１】
従って、冗長構成（“０”）の場合、現用カード挿入スロットに挿入したカードと、予備カード挿入スロットに挿入したカードとは、Ｗ／Ｐ情報に従って、現用，予備の切替えが行われることになる。このような切替えを行う切替リレー３は、トランジスタ等のスイッチング素子によって構成することができる。同様に、前述の切替スイッチ４もトランジスタ等のスイッチング素子によって構成することができる。
【００３２】
【発明の効果】
以上説明したように、本発明は、現用カード挿入スロットのスロットＩＤと、予備カード挿入スロットのスロットＩＤとを設定し、スロットに挿入したカードは、このスロットＩＤを識別して、何れのスロットに挿入したかを判定し、且つ非冗長／冗長設定信号と、現用／予備情報とを基に、切替リレーを制御して、非冗長構成の場合は、現用カード挿入スロット及び予備カード挿入スロットに挿入したカードを用いて回線からの信号を処理することができ、シェルフのスロットに空きを生じさせることなく、有効に利用することができる。又冗長構成の場合は、現用／予備情報に従って、カードは現用と予備とに切替えられることから、信頼性を向上することができる。
【図面の簡単な説明】
【図１】本発明の実施の形態の要部説明図である。
【図２】本発明の実施の形態の冗長構成に於ける予備側への切替状態の説明図である。
【図３】本発明の実施の形態の説明図である。
【図４】本発明の実施の形態の制御論理回路の説明図である。
【図５】本発明の実施の形態の制御論理回路の論理表である。
【図６】従来例の現用カード動作中の説明図である。
【図７】従来例の予備カード動作中の説明図である。
【図８】従来例の冗長構成及び非冗長構成の説明図である。
【符号の説明】
１  シェルフ
２−１，２−２  カード
３−１，３−２  切替リレー
４  切替スイッチ
５，７  入力回線
６，８  出力回線
【図１】
0003777562.tif 000002
【図２】
0003777562.tif 000003
【図３】
0003777562.tif 000004
【図４】
0003777562.tif 000005
【図５】
0003777562.tif 000006
【図６】
0003777562.tif 000007
【図７】
0003777562.tif 000008
【図８】
0003777562.tif 000009